(57)【要約】【課題】トレイとスライド部材とがコンパクトに配置された小型のカード用コネクタ装置を提供すること。【解決手段】本発明のカード用コネクタ装置１は、カードＣが載置されるトレイ１０と、ハウジング２に対してトレイ１０と共に移動可能なスライド部材１２とを備え、トレイ１０は、カードＣの挿入方向に位置する後端部の角部に、切り欠き部１０ｃを有しており、この切り欠き部１０ｃによって形成された空間にスライド部材１２の少なくとも一部１２ｂが配置されていることを特徴とする。【選択図】図３
2006127808.tif 000002
【特許請求の範囲】
【請求項１】
カードが挿入されるハウジングと、
前記ハウジングに対して移動可能に取り付けられるとともに、前記カードが載置されるトレイと、
前記ハウジング内で前記カードと電気的な接続を行うための接続位置と、前記カードを前記ハウンジングから取り出すための排出位置との間で、前記ハウジングに対して前記トレイと共に移動可能なスライド部材と、
前記スライド部材を前記排出位置に向けて常時付勢する付勢手段と、
前記スライド部材を前記接続位置でロックするロック機構と、
を備え、
前記トレイは、前記カードの挿入方向に位置する端部の角部に、切り欠き部を有しており、この切り欠き部によって形成された空間に前記スライド部材の少なくとも一部が配置されていることを特徴とするカード用コネクタ装置。
【請求項２】
前記スライド部材と前記トレイとの間の移動に伴う力の伝達が前記切り欠き部を介して成されることを特徴とする請求項１記載のカード用コネクタ装置。
【請求項３】
前記スライド部材が前記トレイの側方に位置されていることを特徴とする請求項１又は請求項２記載のカード用コネクタ装置。
【請求項４】
前記切り欠き部によって形成された空間に位置する前記スライド部材の部位は、前記トレイに載置されたカードの所定の部位と当接することにより、前記トレイに対する前記カードの誤挿入を防止することを特徴とする請求項１から請求項３のいずれかに記載のカード用コネクタ装置。
【請求項５】
前記トレイが前記スライド部材に対して着脱可能に取り付けられていることを特徴とする請求項１から請求項４のいずれかに記載のカード用コネクタ装置。
【請求項６】
前記トレイには第１の係止部が突設されており、この第１の係止部が前記スライド部材の係止溝に係脱自在に係止されることにより、前記トレイが前記スライド部材に対して着脱可能に取り付けられることを特徴とする請求項５記載のカード用コネクタ装置。
【請求項７】
前記トレイには、第２の係止部が突設されており、この第２の係止部は、トレイの移動方向に沿って前記ハウジングに形成されたガイド溝に対して移動可能に係止されていることを特徴とする請求項６記載のカード用コネクタ装置。
【請求項８】
前記トレイは、金属板を折り曲げることによって形成されており、前記係止部は、前記金属板から切り起こされた弾性片からなることを特徴とする請求項６又は請求項７記載のカード用コネクタ装置。
【発明の詳細な説明】
【技術分野】
【０００１】
本発明は、携帯電話やＰＣ等の各種の携帯情報端末、デジタルカメラ、あるいは、デジタルＡＶ機器等の電子装置に対して記憶媒体等のカード状の媒体を挿入・排出するとともに、このカード状の媒体に設けられた外部接続端子と前記電子装置の回路基板に形成された電子回路との電気的な接続を果たすためのカード用コネクタ装置に関する。
【背景技術】
【０００２】
従来から、パソコン、ビデオカメラ、デジタルカメラ、携帯電話等の電子装置に対して着脱自在に装着される可搬型の媒体として、ＰＣカード、メモリカード等のカード状の記憶媒体や通信用カード（以下、単に、カードという）等が知られている。このようなカードは、電子装置に搭載されたカード用コネクタ装置を介して、電子装置に対して挿入・排出されるとともに、その外部接続端子が電子装置の回路基板に形成された電子回路と電気的に接続される。
【０００３】
前記カード用コネクタ装置としては、例えば、電子装置に取り付け固定されるハウジングと、ハウジングに取り付けられてカードを保持するトレイ（カードホルダ）と、トレイと共にハウジングに対してカードの挿入／排出方向に移動することができるスライド部材とを備えたものが知られている（例えば、特許文献１参照）。この場合、前記スライド部材は、カードの外部接続端子を電子装置の前記電子回路に電気的に接続する接続位置（カード挿着位置）と、カードをトレイから取り出すことができるようにトレイ及びこれに保持されたカードをハウンジングの外部に押し出す排出位置との間で移動することができるとともに、バネなどの付勢手段により前記排出位置へ向けて付勢されており、また、ロック機構により前記接続位置に保持されるようになっている。
【特許文献１】特開２００３−１６５３５６号公報
【発明の開示】
【発明が解決しようとする課題】
【０００４】
しかしながら、特許文献１に開示された前記構成では、スライド部材がトレイよりもハウジングの奥側に位置している。すなわち、トレイとスライド部材とがカードの挿入／排出方向に沿って並設されている。そのため、カードの挿入／排出方向に沿うハウジングの長さが長くなり、ハウジング全体、したがって、コネクタ装置全体が大型化してしまうといった問題がある。
【０００５】
本発明はかかる点に鑑みてなされたものであり、トレイとスライド部材とがコンパクトに配置された小型のカード用コネクタ装置を提供することを目的とする。
【課題を解決するための手段】
【０００６】
本発明のカード用コネクタ装置は、カードが挿入されるハウジングと、前記ハウジングに対して移動可能に取り付けられるとともに、前記カードが載置されるトレイと、前記ハウジング内で前記カードと電気的な接続を行うための接続位置と、前記カードを前記ハウンジングから取り出すための排出位置との間で、前記ハウジングに対して前記トレイと共に移動可能なスライド部材と、前記スライド部材を前記排出位置に向けて常時付勢する付勢手段と、前記スライド部材を前記接続位置でロックするロック機構とを備え、前記トレイは、前記カードの挿入方向に位置する端部の角部に、切り欠き部を有しており、この切り欠き部によって形成された空間に前記スライド部材の少なくとも一部が配置されていることを特徴とする。
【０００７】
この構成によれば、カードの挿入方向に位置するトレイの端部角部に切り欠き部を設け、この切り欠き部によって形成された空間にスライド部材の少なくとも一部を配置しているため、少なくとも前記空間の分だけトレイとスライド部材とをカードの挿入方向で詰めて配置でき（前記空間を利用してトレイ及びスライド部材をハウジング内にコンパクトに配設でき）、カードの挿入方向に沿うハウジングの長さをその分だけ短くできる。その結果、ハウジング全体、したがって、コネクタ装置全体を小型化することができる。
【０００８】
本発明のカード用コネクタ装置においては、前記スライド部材と前記トレイとの間の移動に伴う力の伝達は、前記切り欠き部を介して成されることが好ましい。
【０００９】
この構成によれば、省スペースの目的で形成された前記切り欠き部をスライド部材とトレイとの間で伝達される力の作用部として利用しているため、前記切り欠き部を有効利用できるだけでなく、スライド部材をトレイの前方（ハウジングの奥側）に配置しなくても、すなわち、トレイとスライド部材とをカードの挿入／排出方向に沿って並設しなくても、前記切り欠き部を介して移動に伴う力の伝達をスライド部材とトレイとの間で行ってこれらを一体で移動させることができる。そのため、カードの挿入方向に沿うハウジングの長さを大幅に削減してコネクタ装置の小型化を図ることが可能になる。
【００１０】
本発明のカード用コネクタ装置においては、前記スライド部材は、前記トレイの側方に位置されていることが好ましい。
【００１１】
この構成によれば、前記スライド部材が前記トレイの側方に位置されているため、すなわち、スライド部材がトレイの前方（ハウジングの奥側）に配置されていないため、カードの挿入方向に沿うハウジングの長さが格段に短くなり、コネクタ装置をコンパクトに形成することができる。
【００１２】
本発明のカード用コネクタ装置においては、前記切り欠き部によって形成された空間に位置する前記スライド部材の部位は、前記トレイに載置されたカードの所定の部位と当接することにより、前記トレイに対する前記カードの誤挿入を防止することが好ましい。
【００１３】
この構成によれば、前記切り欠き部を利用してカードの誤挿入を防止できるため、誤挿入防止用の手段を別個に設ける必要がなくなり、部品点数の削減を図ることができる。そのため、コネクタ装置の小型化を図ることが可能になるとともに、組立作業の容易化、ひいては、製造コストの低減を図ることができるようになる。
【００１４】
本発明のカード用コネクタ装置においては、前記トレイは、前記スライド部材に対して着脱可能に取り付けられていることが好ましい。
【００１５】
この構成によれば、トレイがスライド部材に対して着脱可能であるため、トレイを簡単に交換できるだけでなく、製造工程においては、トレイをスライド部材に対して後から組み付けることもできるため、例えば、樹脂などの耐熱性が低い材料によってトレイを形成する場合においては、このトレイを高温下でなされるリフロー処理などに晒さないで済むという利点もある。また、トレイとスライド部材とが互いに別体を成しているため、トレイ及びスライド部材の材料をそれぞれの機能に応じた適切な材料の中から個別に選択することができる。そのため、機能の向上及び製造コストの低減を効果的に行うことが可能になる。
【００１６】
本発明のカード用コネクタ装置においては、前記トレイには第１の係止部が突設されており、この第１の係止部が前記スライド部材の係止溝に係脱自在に係止されることにより、前記トレイが前記スライド部材に対して着脱可能に取り付けられることが好ましい。
【００１７】
この構成によれば、トレイの第１の係止部をスライド部材の係合溝に対して係脱させるだけでトレイをスライド部材に対して着脱できるため、スライド部材に対するトレイの取り付け及び取り外しが容易になるという利点がある。
【００１８】
本発明のカード用コネクタ装置においては、前記トレイには、第２の係止部が突設されており、この第２の係止部は、トレイの移動方向に沿って前記ハウジングに形成されたガイド溝に対して移動可能に係止されていることが好ましい。
【００１９】
この構成によれば、トレイの第２の係止部がハウジングのガイド溝に移動可能に係止されることにより、トレイの移動が案内されるため、トレイの安定した動作が可能になる。
【００２０】
本発明のカード用コネクタ装置においては、前記トレイは、金属板を折り曲げることによって形成されており、前記係止部は、前記金属板から切り起こされた弾性片からなることが好ましい。
【００２１】
この構成によれば、トレイの製造時に係止部を一体で形成できるため、製造工程を簡略化して、製造コストの低減を図ることも可能になる。
【発明の効果】
【００２２】
本発明によれば、トレイは、カードの挿入方向に位置する端部の角部に、切り欠き部を有しており、この切り欠き部によって形成された空間に前記スライド部材の少なくとも一部が配置されているので、トレイとスライド部材とがコンパクトに配置された小型のカード用コネクタ装置を提供することができる。
【発明を実施するための最良の形態】
【００２３】
以下、本発明の実施の形態について添付図面を参照して詳細に説明する。
まず、図１〜図４を参照しながら、本発明の実施の形態に係るカード用コネクタ装置１の構成について説明する。これらの図に示されるように、本実施の形態のカード用コネクタ装置１は、例えばパソコン、ビデオカメラ、デジタルカメラ、携帯電話などの電子装置に対して取り付け固定されるハウジング２を有している。このハウジング２は、例えば合成樹脂などの絶縁材によって形成され且つ前方及び上方が開口された箱型のハウジング本体２ａ（特に、図２参照）と、ハウジング本体２ａに結合され且つハウジング本体２ａの上部開口を覆う例えば金属製のカバー部材２ｂとを含む。ハウジング本体２ａは、後述するトレイ１０を介してメモリカードなどのカード状の媒体（以下、単にカードＣという）が挿入されて収納される収納部３を有しており、また、ハウジング２の前面には、収納部３に連通するカード挿入口４が形成されている。なお、本明細書では、便宜上、カード挿入口４が位置する側を「前」、これと反対側を「後」、カバー部材２ｂが位置する側を「上」、これと反対側を「下」として、方向を規定するものとする。
【００２４】
カード挿入口４に対向する収納部３の奥側には、前記トレイ１０を介して収納部３内に収納されるカードＣの外部接続端子と接触する複数のコネクタ端子５・・・が並設されるとともに、カードＣが所定の収納位置に位置されたこと（したがって、カードＣの外部接続端子とコネクタ端子５・・・とが接触したこと）を電気的に検知するためのカード検出スイッチ８５が支点８７を中心に回動可能に設けられている。この場合、コネクタ端子５・・・は、電子装置などの外部の回路基板上の回路パターンと電気的に接続されるようになっており、また、カード検出スイッチ８５は、カードＣの挿入に伴って、前記トレイ１０の後端開口１０ｄの切り欠き９７から露出するカードＣの露出部位によって押圧されることにより回動し、カードＣが所定の収納位置に位置された際に所定の検出回路を電気的に閉じるようになっている。なお、ハウジング本体２ａの両側には、収納部３内に挿入される前記トレイ１０の側縁部を案内するガイド部６，６が設けられている。
【００２５】
また、ハウジング本体２ａには、ハウジング２に対するカードＣの挿入／排出方向（カード挿入口４を横切る図中の矢印方向）に移動可能なトレイ１０及びスライド部材１２が取り付けられている。この場合、スライド部材１２は、ハウジング本体２ａの一側部に沿って摺動可能に配置されており、また、トレイ１０は、スライド部材１２に対して結合されてハウジング本体２ａの収納部３内で移動するようになっている。
【００２６】
トレイ１０は、例えば金属板を折り曲げることにより略箱型に形成されており（無論、樹脂などによって形成されていても良い）、カードＣが載置される載置部１０ａと、一対の側面部１０ｈと、天井部１０ｇと、前端開口１０ｆと、後端開口１０ｄとを有している。
【００２７】
この場合、載置部１０ａは、トレイ１０の両側に沿って延びるレール状の面として形成されている。また、トレイ１０の前端開口１０ｆには、これを閉塞するように、シャッタ状の閉塞部１０ｂが取り付けられている。この閉塞部１０ｂは、支点９２を中心に上下に回動可能であり、ハウジング２に対してトレイ１０が完全に挿入された状態でカード挿入口４を閉塞するようになっている。また、トレイ１０の後端開口１０ｄには、トレイ１０内へのカードＣの挿入量を規制するストッパ１０ｅが形成されており、天井部１０ｇの後端部には、カードＣの後端側部位を一部露出させるための切り欠き９７が形成されている。また、本実施の形態において、トレイ１０は、カードＣの挿入方向に位置する後端部の角部に、テーパ状の切り欠き部１０ｃを有している。
【００２８】
また、スライド部材１２は、合成樹脂などの絶縁材によって形成されるとともに、例えばカードＣの挿入／排出方向に沿って延びるガイドレールに係合しており、このガイドレールに沿ってトレイ１０と共に移動するようになっている。具体的には、スライド部材１２は、後述するハート型のカム溝８０とロックピン８２との係合による移動規制により、トレイ１０の載置部１０ａに載置されたカードＣの外部接続端子がコネクタ端子５・・・に電気的に接続される接続位置（後述する図７に示される位置）と、トレイ１０に対するカードＣの挿脱が可能となるようにトレイ１０がハウンジング２の外部に押し出される排出位置（図３に示される位置）との間で移動できるようになっている。
【００２９】
また、スライド部材１２は、トレイ１０の側方に位置して前後（カードＣの挿入／排出方向）に延びる本体部１２ａと、その後端がトレイ１０の後端と略面一になるようにトレイ１０の切り欠き部１０ｃによって形成された空間内に臨む（空間内に配置される）（特に図３及び図４参照）略三角形状の押圧作用部１２ｂとからなる。押圧作用部１２ｂは、トレイ１０の切り欠き部１０ｃのテーパ形状に対応する形状を成すテーパ面９９を有しており、このテーパ面９９をトレイ１０の切り欠き部１０ｃに当接させることにより、スライド部材１２とトレイ１０との間の移動に伴う力の伝達を切り欠き部１０ｃと協働して行う一方で、トレイ１０に載置されたカードＣの後端角部のテーパ面（図示せず）と当接して、トレイ１０に対するカードＣの誤挿入を防止するようになっている。
【００３０】
また、本実施の形態において、トレイ１０は、スライド部材１２に対して着脱自在に取り付けられるようになっている。具体的には、トレイ１０の一方の側面部１０ｈに第１の係止部７７が突設されており、この第１の係止部７７がスライド部材１２の本体部１２ａに形成された係止溝７５に係脱自在に係止されることにより、トレイ１０がスライド部材１２に対して着脱可能に取り付けられる。この場合、第１の係止部７７は、トレイ１０を形成する金属板から切り起こされた弾性片からなる。
【００３１】
また、トレイ１０の他方の側面部１０ｈにも第２の係止部７９が突設されており、この第２の係止部７９は、トレイ１０の移動方向に沿ってハウジング本体２ａのガイド部６に形成されたガイド溝７６に対して移動可能に係止されている。
【００３２】
なお、スライド部材１２は、付勢手段としての圧縮バネ４５により、前記排出位置に向けて常時付勢されている。この場合、圧縮バネ４５の後端は、ハウジング本体２ａの後端壁２１の内面に突設されたバネ支持部２０（図４参照）に支持されるとともに、圧縮バネ４５の前端側は、スライド部材１２の本体部１２ａの後端面に突設されたバネ支持部２５（図４参照）に支持されている。
【００３３】
また、本実施の形態のカード用コネクタ装置１は、スライド部材１２を前記接続位置でロックするロック機構を有している。このロック機構は、スライド部材１２の本体部１２ａの上面に形成されたハート型のカム溝８０と、このカム溝８０と係合するロックピン８２とからなる。
【００３４】
ロックピン８２は、その一端８２ａがハウジング本体２ａの側部前端に支持され、その他端８２ｂがカム溝８０と摺動可能に係合するようになっている。また、ハウジング２のカバー部材２ｂには、ロックピン８２を押圧してロックピン８２の他端８２ｂとカム溝８０との係合状態を保持する押圧部１００（図１参照）が設けられている。この場合、押圧部１００は、ロックピン８２と対向するカバー部材２ｂ（金属板）の部位を下側に向けて切り起こすことにより形成される弾性片からなる。
【００３５】
図４に明確に示されるように、ハート型のカム溝８０は、複数の斜面や平面からなる環状溝として形成されている。具体的には、カム溝８０は、スライド部材１２の前記排出位置を規定する後端係止溝部８０ａと、カム溝８０の前端側の中央に位置するとともにスライド部材１２の前記接続位置を規定する窪んだ前端係止溝部８０ｂと、後端係止溝部８０ａと前端係止溝部８０ｂとを接続するように略ハート型の外形に沿って延びる一対の第１及び第２の摺動溝部８０ｃ，８０ｄとを含む。また、カム溝８０は、後述するように、その後端係止溝部８０ａにロックピン８２の他端８２ｂが係止することにより、スライド部材１２を前記排出位置に保持するとともに、その前端係止溝部８０ｂにロックピン８２の他端８２ｂが係止することにより、スライド部材１２を前記接続位置に保持（ロック）するようになっている。
【００３６】
次に、図５〜図８を参照しながら、上記構成のカード用コネクタ装置１の動作について説明する。
図５は、スライド部材１２が圧縮バネ４５の付勢力により排出位置に位置され、したがって、スライド部材１２に結合されたトレイ１０がカード挿入口４を通じてハウジング２の外側に押し出された状態を示している。この状態では、カム溝８０の後端係止溝部８０ａにロックピン８２の他端８２ｂが係止している。また、この図５の状態では、図示のようにトレイ１０の載置部１０ａにカードＣを載置することができる。なお、トレイ１０の載置部１０ａにカードＣを載置する際には、カードＣの後端角部のテーパ面（図示せず）がスライド部材１２の押圧作用部１２ｂのテーパ面９９に当接することにより、トレイ１０に対するカードＣの誤挿入が防止される。
【００３７】
次に、トレイ１０の載置部１０ａにカードＣを載置した図５の状態から、トレイ１０をカード挿入口４を通じてハウジング２内に押し込む（挿入する）と、トレイ１０は、その第２の係止部７９とハウジング本体２ａのガイド溝７６との係合によりその移動が安定状態で案内されるとともに、その切り欠き部１０ｃがこれに当接するスライド部材１２の押圧作用部１２ｂのテーパ面９９を押圧することにより、スライド部材１２を圧縮バネ４５の付勢力に抗して前記接続位置へと移動させる。また、この移動に伴って、ロックピン８２の他端８２ｂがカム溝８０の第１の摺動溝部８０ｃをトレースし、また、トレイ１０の後端開口１０ｄの切り欠き９７から露出するカードＣの露出部位１０２がカード検出スイッチ８５を押圧して回動させる。その状態が図６に示されている。
【００３８】
そして、このような移動によってスライド部材１２が接続位置に達すると、ロックピン８２の他端８２ｂがカム溝８０の中央の窪んだ前端係止溝部８０ｂに係止し、スライド部材１２がハウジング２に対して位置決め固定される。すなわち、スライド部材１２が接続位置でロックされる。その状態が図７に示されている。
【００３９】
この図７に示される状態では、トレイ１０上のカードＣの外部接続端子が対応するコネクタ端子５と接触されるとともに、カード挿入口４がトレイ１０の閉塞部１０ｂによって閉塞される。また、この時、カード検出スイッチ８５は、切り欠き９７から露出するカードＣの露出部位１０２により規定位置まで回動され、所定の検出回路を電気的に閉じる。
【００４０】
次に、この図７の状態で、トレイ１０をハウジング２から引き出す場合には、トレイ１０をハウジング２内に押し込んで、スライド部材１２を圧縮バネ４５の付勢力に抗してハウジング２の奥へと更にスライドさせる。これにより、ロックピン８２の他端８２ｂとカム溝８０の前端係止溝部８０ｂとの係止状態が解除される。そのため、この状態でトレイ１０及びスライド部材１２に対する押圧力を解除すると、圧縮バネ４５による付勢力によりスライド部材１２が排出位置へと移動される。この移動により、ロックピン８２の他端８２ｂがカム溝８０の第２の摺動溝部８０ｄをトレースし（図８参照）、それに伴ってトレイ１０もカード挿入口４を通じてハウジング２の外部へと押し出される。その後、ロックピン８２の他端８２ｂがカム溝８０の後端係合溝部８０ａに係止して、スライド部材１２が排出位置に位置されると、図５に示される最初の状態となり、トレイ１０からカードＣを取り出すことが可能になる。
【００４１】
以上説明したように、本実施の形態のカード用コネクタ装置１では、カードＣの挿入方向に位置するトレイ１０の後端部角部に切り欠き部１０ｃが設けられ、この切り欠き部１０ｃによって形成された空間にスライド部材１２の一部である押圧作用部１２ｂが配置されるとともに、スライド１２部材の残りの部分である本体部１２ａがトレイ１０の側方に配置されている。すなわち、トレイ１０の前方（ハウジング２の奥側）にスライド部材１２が配置されていない。そのため、カードＣの挿入方向に沿うハウジング２の長さを格段に短くすることができ、コネクタ装置１をコンパクトに形成することができる。
【００４２】
また、本実施の形態のカード用コネクタ装置１では、スライド部材１２とトレイ１０との間の移動に伴う力の伝達が、切り欠き部１０ｃを介して成されるようになっている。すなわち、省スペースの目的で形成された切り欠き部１０ｃがスライド部材１２とトレイ１０との間で伝達される力の作用部として利用されているため、切り欠き部１０ｃを有効利用できるだけでなく、本実施の形態のようにスライド部材１２をトレイ１０の前方（ハウジング２の奥側）に配置しなくても、すなわち、トレイ１０とスライド部材１２とをカードＣの挿入／排出方向に沿って並設しなくても、切り欠き部１０ｃを介して移動に伴う力の伝達をスライド部材１２とトレイ１０との間で行ってこれらを一体で移動させることができる。したがって、ハウジング２の長さを削減できコネクタ装置１の小型化が図れるという前記作用効果の実現に寄与することができる。
【００４３】
また、本実施の形態のカード用コネクタ装置１では、切り欠き部１０ｃを利用してカードＣの誤挿入を防止できるため、誤挿入防止用の手段を別個に設ける必要がなくなり、部品点数の削減を図ることができる。そのため、コネクタ装置の小型化を図ることが可能になるとともに、組立作業の容易化、ひいては、製造コストの低減を図ることができるようになる。
【００４４】
また、本実施の形態のカード用コネクタ装置１では、トレイ１０がスライド部材１２に対して着脱可能であるため、トレイを簡単に交換できるだけでなく、製造工程においては、トレイ１０をスライド部材１２に対して後から組み付けることもできるため、例えば、樹脂などの耐熱性が低い材料によってトレイ１０を形成する場合においては、このトレイ１０を高温下でなされるリフロー処理などに晒さないで済むという利点もある。また、トレイ１０とスライド部材１２とが互いに別体を成しているため、トレイ１０及びスライド部材１２の材料をそれぞれの機能に応じた適切な材料の中から個別に選択することができる。そのため、機能の向上及び製造コストの低減を効果的に行うことが可能になる。
【００４５】
また、本実施の形態のカード用コネクタ装置１では、トレイ１０の第１の係止部７７をスライド部材１２の係合溝７５に対して係脱させるだけでトレイ１０をスライド部材１２に対して着脱できるため、スライド部材１２に対するトレイ１０の取り付け及び取り外しが容易になるという利点がある。
【００４６】
また、本実施の形態のカード用コネクタ装置１では、トレイ１０の第２の係止部７９がハウジング本体２ａのガイド溝７６に移動可能に係止されることにより、トレイ１０の移動が案内されるため、トレイ１０の安定した動作が可能になる。
【００４７】
なお、本発明は、前述した実施の形態に限定されず、その要旨を逸脱しない範囲で種々変形して実施できることは言うまでもない。例えば、前述した実施の形態では、スライド部材１２に対してトレイ１０が着脱自在に取り付けられているが、トレイ１０とスライド部材１２とが一体に形成されていても良い。
【００４８】
本発明は、カードの挿入・排出を伴うあらゆるコネクタ装置に対して適用することができる。
【図面の簡単な説明】
【００４９】
【図１】本発明の一実施の形態に係るカード用コネクタ装置の斜視図である。
【図２】図１の状態からカバー部材を取り除いた斜視図である。
【図３】図２の状態からトレイをハウジング内に挿入した斜視図である。
【図４】（ａ）は図３のカード用コネクタ装置の平面図（ロックピンが除去された状態）、（ｂ）は（ａ）のカード用コネクタ装置の正面図、（ｃ）は（ａ）のカード用コネクタ装置の側面図である。
【図５】（ａ）はスライド部材が排出位置にあるカード用コネクタ装置の平面図、（ｂ）は（ａ）のカード用コネクタ装置の側面図である。
【図６】（ａ）はトレイが挿入途中にあるカード用コネクタ装置の平面図、（ｂ）は（ａ）のカード用コネクタ装置の側面図である。
【図７】（ａ）はスライド部材が接続排出位置にあるカード用コネクタ装置の平面図、（ｂ）は（ａ）のカード用コネクタ装置の側面図である。
【図８】（ａ）はトレイが排出途中にあるカード用コネクタ装置の平面図、（ｂ）は（ａ）のカード用コネクタ装置の側面図である。
【符号の説明】
【００５０】
１    カード用コネクタ装置
２    ハウジング
２ａ    ハウジング本体
２ｂ    カバー部材
４    カード挿入口
１０    トレイ
１０ａ    載置部
１０ｂ    閉塞部
１０ｃ    切り欠き部
１２    スライド部材
１２ｂ    押圧作用部
４５    圧縮バネ（付勢手段）
７５    係止溝
７６    ガイド溝
７７    第１の係止部
７９    第２の係止部
８０    カム溝
８２    ロックピン
Ｃ    カード
【図１】
2006127808.tif 000003
【図２】
2006127808.tif 000004
【図３】
2006127808.tif 000005
【図４】
2006127808.tif 000006
【図５】
2006127808.tif 000007
【図６】
2006127808.tif 000008
【図７】
2006127808.tif 000009
【図８】
2006127808.tif 000010